(57)【要約】【課題】電池の発熱及び発煙に対する対策及び管理を強化した携帯端末装置を提供する。【解決手段】電池パック４０では、電池使用状態検出手段（たとえば電池検出部４２）により、電池４１の使用状況及び環境状況が検出され、同電池４１の使用状況及び環境状況を表す電池使用環境情報ｂｉが生成される。携帯端末本体部（たとえば本体部３０）では、情報記録制御手段（たとえば制御部３１）により、電池パック４０の電池検出部４２で生成される電池使用環境情報ｂｉが記憶手段（たとえばメモリ３２）に逐次記録されると共に、同メモリ３２から同電池使用環境情報ｂｉが読み出されてユーザカード（たとえばＵＳＩＭカード４４）に逐次展開されて記録される。【選択図】図１
2011061561.tif 000002
【特許請求の範囲】
【請求項１】
携帯端末本体部と、
該携帯端末本体部に対して着脱可能に構成され、電池が装着されて前記携帯端末本体部に電源を供給する電池パックとからなる携帯端末装置であって、
各ユーザ毎に付与されて前記各ユーザ毎のデータを記録するためのユーザカードが設けられ、
前記電池パックは、
前記電池の使用状況及び環境状況を検出して、前記電池の使用状況及び環境状況を表す電池使用環境情報を生成する電池使用状態検出手段を有し、
前記携帯端末本体部は、
記憶手段と、
前記電池パックの前記電池使用状態検出手段で生成される前記電池使用環境情報を前記記憶手段に逐次記録すると共に、該記憶手段から前記電池使用環境情報を読み出して前記ユーザカードに逐次展開して記録する情報記録制御手段とを有することを特徴とする携帯端末装置。
【請求項２】
前記電池使用状態検出手段は、
少なくとも前記電池の電圧、電流及び温度を検出して前記電池使用環境情報を生成する構成とされていることを特徴とする請求項１記載の携帯端末装置。
【請求項３】
前記ユーザカードは、
前記電池パックに対して着脱可能に構成されていることを特徴とする請求項１又は２記載の携帯端末装置。
【請求項４】
前記電池パックは、
前記携帯端末本体部に装着された状態で一定以上の衝撃が加えられたとき、該携帯端末本体部から脱落する構造とされていることを特徴とする請求項１、２又は３記載の携帯端末装置。
【請求項５】
前記ユーザカードは、
ＵＳＩＭ（Universal Subscriber Identity Module）カードで構成され、
前記情報記録制御手段は、
前記ＵＳＩＭカードに対応して規定されたアプリケーションＵＳＡＴ（USIM Application Toolkit）に基づいて、前記記憶手段から前記電池使用環境情報を読み出して前記ユーザカードに逐次展開して記録する構成とされていることを特徴とする請求項１、２、３又は４記載の携帯端末装置。
【請求項６】
前記ユーザカードは、
前記情報記録制御手段に対して、前記記憶手段に記録されている前記電池使用環境情報の送出を要求するための情報送出要求を送信する構成とされ、
前記情報記録制御手段は、
前記ユーザカードから前記情報送出要求が送信されたとき、前記記憶手段から前記電池使用環境情報を読み出して、情報送出応答と共に前記ユーザカードに送信する構成とされていることを特徴とする請求項５記載の携帯端末装置。
【請求項７】
前記情報記録制御手段は、
前記電池パックの前記電池使用状態検出手段で生成される前記電池使用環境情報を、あらかじめ設定された最大時間まで前記記憶手段に逐次記録する一方、前記最大時間を超えたとき、初期状態に戻って前記電池使用環境情報を前記記憶手段に逐次上書きする動作を繰り返す構成とされていることを特徴とする請求項１乃至６のいずれか一に記載の携帯端末装置。
【請求項８】
携帯端末本体部と、
該携帯端末本体部に対して着脱可能に構成され、電池が装着されて前記携帯端末本体部に電源を供給する電池パックとからなる携帯端末装置に用いられる電池管理方法であって、
各ユーザ毎に付与されて前記各ユーザ毎のデータを記録するためのユーザカードを設け、
前記電池パックでは、
電池使用状態検出手段が、前記電池の使用状況及び環境状況を検出して、前記電池の使用状況及び環境状況を表す電池使用環境情報を生成する電池使用状態検出処理を行い、
前記携帯端末本体部では、
記憶手段を設け、
情報記録制御手段が、前記電池パックの前記電池使用状態検出手段で生成される前記電池使用環境情報を前記記憶手段に逐次記録すると共に、該記憶手段から前記電池使用環境情報を読み出して前記ユーザカードに逐次展開して記録する情報記録制御処理を行うことを特徴とする電池管理方法。
【請求項９】
前記電池使用状態検出処理では、
前記電池使用状態検出手段が、少なくとも前記電池の電圧、電流及び温度を検出して前記電池使用環境情報を生成することを特徴とする請求項８記載の電池管理方法。
【請求項１０】
前記ユーザカードを、前記電池パックに対して着脱可能に構成することを特徴とする請求項７又は８記載の電池管理方法。
【請求項１１】
前記携帯端末本体部に装着された状態で一定以上の衝撃が加えられたとき、前記電池パックを、該携帯端末本体部から脱落させることを特徴とする請求項８、９又は１０記載の電池管理方法。
【請求項１２】
前記ユーザカードを、ＵＳＩＭ（Universal Subscriber Identity Module）カードで構成し、
前記情報記録制御手段が、前記ＵＳＩＭカードに対応して規定されたアプリケーションＵＳＡＴ（USIM Application Toolkit）に基づいて、前記記憶手段から前記電池使用環境情報を読み出して前記ユーザカードに逐次展開して記録することを特徴とする請求項８、９、１０又は１１記載の電池管理方法。
【請求項１３】
前記ユーザカードが、前記情報記録制御手段に対して、前記記憶手段に記録されている前記電池使用環境情報の送出を要求するための情報送出要求を送信し、
前記情報記録制御手段が、前記ユーザカードから前記情報送出要求が送信されたとき、前記記憶手段から前記電池使用環境情報を読み出して、情報送出応答と共に前記ユーザカードに送信することを特徴とする請求項１２記載の電池管理方法。
【請求項１４】
前記情報記録制御手段が、前記電池パックの前記電池使用状態検出手段で生成される前記電池使用環境情報を、あらかじめ設定された最大時間まで前記記憶手段に逐次記録する一方、前記最大時間を超えたとき、初期状態に戻って前記電池使用環境情報を前記記憶手段に逐次上書きする動作を繰り返すことを特徴とする請求項８乃至１３のいずれか一に記載の電池管理方法。
【請求項１５】
コンピュータを請求項１乃至７のいずれか一に記載の情報記録制御手段として機能させるためのコンピュータ読み取り可能な電池管理制御プログラム。
【発明の詳細な説明】
【技術分野】
【０００１】
この発明は、携帯端末装置、該携帯端末装置に用いられる電池管理方法及び電池管理制御プログラムに係り、たとえばＵＳＩＭ（Universal Subscriber Identity Module）カードなどのような加入者カードが装着され、電池を電源として所定の動作を行う携帯電話機などに適用して好適な携帯端末装置、該携帯端末装置に用いられる電池管理方法及び電池管理制御プログラムに関する。
【背景技術】
【０００２】
ノートＰＣ（パソコン）や携帯電話機などの携帯端末装置は、近年、外形の小型化が進む一方、ユーザの使い勝手を向上するために、長い電池寿命が要求されている。外形の小型化と長電池寿命化とは、技術的に相反するものであるため、電池の高密度エネルギー化が進むことにより、様々な課題が発生している。たとえば、ノートＰＣや携帯電話機などの電池の発熱及び発煙は、しばしば市場で発生しており、ＰＬ（Product Liability 、製造物責任）の観点からも、対策が強く求められている。また、近年の携帯端末装置では、たとえば、ＳＩＭ（Subscriber Identity Module）カードや、ＵＳＩＭ（Universal Subscriber Identity Module）カードのようなＩＣカードが装着可能な構成のものが多くなっている。ＳＩＭカードは、ＧＳＭ（Global System for Mobile Communication）標準規格として採用されている小型のＩＣカードであり、フラッシュメモリからなる記憶部と、ＣＰＵ（Central Processing Unit 、中央演算処理部）とを備えている。
【０００３】
ＵＳＩＭカードは、ＳＩＭカードの互換ＩＣカードであり、Ｗ−ＣＤＭＡ（Wideband-Code Division Multiple Access）方式を採用した携帯電話機のように、ＩＭＴ（International Mobile Telecommunication）-2000 の標準規格として採用されているＩＣカードである。ＵＳＩＭカードは、記憶部を保持しており、同記憶部には、移動体通信無線プロトコルの動作に必要な情報、たとえば無線区間での移動端末制御に用いられる移動機識別番号（ＩＭＳＩ；International MobileSubscriber Identity ）、自局電話番号などの加入者情報、端末位置情報、暗証番号等のセキュリティ情報、及び、各種ユーザ情報（たとえば、課金情報、電話帳、発着信履歴）が必須情報として保存されている。また、ＵＳＩＭカードには、移動通信網からの認証要求に対する認証の値を計算する機能や、ＳＭＳ（ショートメッセージサービス）を利用して電子商取引などを行うアプリケーションＵＳＡＴ（USIM Application Toolkit）が任意機能として用意されている。ユーザは、自分専用のＵＳＩＭカードを所有し、複数の携帯端末装置に選択的に装着することで、複数の携帯端末装置を使い廻すことが可能となり、利便性が大幅に向上している。
【０００４】
この種の携帯端末装置は、たとえば図８に示すように、携帯電話機１であり、本体部１０と、電池パック２０とから構成されている。本体部１０は、制御部１１と、メモリ１２と、機能部１３と、ＳＩＭ−ＩＦ（インタフェース）１４と、ＵＳＩＭカード１５とを有している。電池パック２０は、電池２１と、電池検出部２２とを有している。
【０００５】
図９は、図８の携帯電話機１の概略の外観を示す図であり、同図（ａ）は正面斜視図、同図（ｂ）は裏面斜視図、及び、同図（ｃ）が電池パック取外し時の裏面斜視図である。
この携帯電話機１では、同図（ａ）に示すように、本体部１０に、表示部１６、キースイッチ１７及び、構造的な挿入口１８などが備えられている。また、同図（ｂ）に示すように、ＵＳＩＭカード１５が挿入口１８から本体部１０へ挿入されるようになっている。また、同図（ｃ）に示すように、電池パック２０は、本体部１０に対して着脱可能に構成され、さらに過大な衝撃が加わった場合も、同本体部１０から外れるように構成されている。
【０００６】
この携帯電話機１では、電池検出部２２により、電池パック２０の電池２１の電圧、電流、温度などの使用状況及び環境状況が検出され、同電池検出部２２からの情報が本体部１０の制御部１１で読み出されてメモリ１２に逐次格納される。これは、電池２１の安全性向上のための様々な取り組みのうちの一つの施策例であり、安全性向上のために、電池２１がユーザ個々でいかなる動作及び環境で使用されているかを把握することを目標としている。たとえば、個々のユーザによる使用下で、無線部などを含む機能部１３の負荷が異常な状況へ至ったり、電池パック２０の故障などにより発熱の事象が発生した場合、ユーザがいかなる動作及び環境で電池２１を使用していたかをメモリ１２から読み出し、把握することにより迅速な原因究明が可能となり、ひいては、同様な事象が同機器を使用している他のユーザにて発生することを未然に防ぐことが可能となる。
【０００７】
上記の携帯電話機の他、この種の関連技術としては、たとえば、特許文献１に記載された携帯型情報処理端末がある。
この携帯型情報処理端末では、バッテリ消費量記憶手段により、同携帯型情報処理端末にて作動可能な動作パターン毎におけるバッテリの消費量を表す消費量情報があらかじめ記憶されている。バッテリ出力変化記憶手段により、バッテリの出力電圧値の変化状況を表すバッテリ出力変化情報が記憶される。電圧検出手段により、バッテリの出力電圧値が検出されると共に、検出された出力電圧値の変化状況がバッテリ出力変化情報としてバッテリ出力変化記憶手段に記憶される。動作パターン検出手段により、携帯型情報処理端末にて作動中の動作パターンが検出される。バッテリ残値算出手段により、消費量情報と、バッテリ出力変化情報と、検出された出力電圧値及び動作パターンとに基づいて、現在時刻におけるバッテリの予測残値が算出される。これにより、より高精度にバッテリ残値が算出される。
【先行技術文献】
【特許文献】
【０００８】
【特許文献１】特開２００８−１３６２８９号公報
【発明の概要】
【発明が解決しようとする課題】
【０００９】
しかしながら、上記関連技術では、次のような課題があった。
すなわち、図８の携帯電話機１では、複数のユーザが持ち回りで使用した場合、メモリ１２には、複数のユーザの電池使用状況及び環境状況が切れ目なく蓄積されてしまい、個々のユーザによる電池２１の使用状況及び環境状況が正確に判断されないという課題がある。また、ユーザの不注意により、携帯電話機１へ落下衝撃を加えたり、曲げ応力印加など、外部から物理的ストレスを加えてしまうことにより、同携帯電話機１の電気回路もしくは電気部品が損傷を受け、破損して修復不可能となる場合がある。この場合、メモリ１２などの電気部品やその電気回路は、本体部１０に実装配置され、同本体部１０の容量サイズが電池パック２０に比較して大きいことから、物理的ストレスも同様に大きく、より損傷を受けて破損しやすく、電池２１の電圧、電流、温度などの使用状況及び環境状況を読み出せない場合もあるという課題がある。特に、図９に示すように、本体部１０の長手方向は電池パック２０よりも長いため、長手方向の両端の部位に荷重が加えられた場合、短い電池パック２０に比較して、内部の電気回路と電気部品に大きなストレスが加わってしまう。
【００１０】
また、特許文献１に記載された携帯型情報処理端末では、バッテリ残値が高精度に算出されるが、この発明とは構成が異なり、上記の課題は、改善されない。
【００１１】
この発明は、上述の事情に鑑みてなされたもので、電池の発熱及び発煙に対する対策及び管理を強化した携帯端末装置、該携帯端末装置に用いられる電池管理方法及び電池管理制御プログラムを提供することを目的としている。
【課題を解決するための手段】
【００１２】
上記課題を解決するために、この発明の第１の構成は、携帯端末本体部と、該携帯端末本体部に対して着脱可能に構成され、電池が装着されて前記携帯端末本体部に電源を供給する電池パックとからなる携帯端末装置に係り、各ユーザ毎に付与されて前記各ユーザ毎のデータを記録するためのユーザカードが設けられ、前記電池パックは、前記電池の使用状況及び環境状況を検出して、前記電池の使用状況及び環境状況を表す電池使用環境情報を生成する電池使用状態検出手段を有し、前記携帯端末本体部は、記憶手段と、前記電池パックの前記電池使用状態検出手段で生成される前記電池使用環境情報を前記記憶手段に逐次記録すると共に、該記憶手段から前記電池使用環境情報を読み出して前記ユーザカードに逐次展開して記録する情報記録制御手段とを有することを特徴としている。
【００１３】
この発明の第２の構成は、携帯端末本体部と、該携帯端末本体部に対して着脱可能に構成され、電池が装着されて前記携帯端末本体部に電源を供給する電池パックとからなる携帯端末装置に用いられる電池管理方法に係り、各ユーザ毎に付与されて前記各ユーザ毎のデータを記録するためのユーザカードを設け、前記電池パックでは、電池使用状態検出手段が、前記電池の使用状況及び環境状況を検出して、前記電池の使用状況及び環境状況を表す電池使用環境情報を生成する電池使用状態検出処理を行い、前記携帯端末本体部では、記憶手段を設け、情報記録制御手段が、前記電池パックの前記電池使用状態検出手段で生成される前記電池使用環境情報を前記記憶手段に逐次記録すると共に、該記憶手段から前記電池使用環境情報を読み出して前記ユーザカードに逐次展開して記録する情報記録制御処理を行うことを特徴としている。
【発明の効果】
【００１４】
この発明の構成によれば、ユーザ個々の電池の使用状況及び環境状況がユーザカードに記録保存され、記録保存された情報を引き出すことにより、同電池がユーザ個々にいかなる動作及び環境で使用されていたかを把握できる。たとえば、個々のユーザの使用下で発熱の事象が発生した場合、同ユーザのユーザカードから電池の使用状況及び環境状況を把握でき、迅速な原因究明が可能となる。ひいては、同様な事象が携帯端末装置を使用する他のユーザにより発生することを未然に防止できる。
【図面の簡単な説明】
【００１５】
【図１】この発明の一実施形態である携帯端末装置の要部の電気的構成を示すブロック図である。
【図２】図１の携帯電話機２９の電池パック取外し時の裏面斜視図である。
【図３】電池検出部４２で検出される使用状況及び環境状況の例を示す図である。
【図４】メモリ３２に記録される電池使用環境情報ｂｉの例を示す図である。
【図５】制御部３１の動作を説明するフローチャートである。
【図６】ＵＳＩＭカード４４と本体部３０との間の動作を説明するシーケンス図である。
【図７】ＵＳＡＴ機能に対応したコマンドの例を示す図である。
【図８】関連する携帯電話機の電気的構成を示す図である。
【図９】図８の携帯電話機の概略の外観を示す図である。
【発明を実施するための形態】
【００１６】
上記電池使用状態検出手段は、少なくとも上記電池の電圧、電流及び温度を検出して上記電池使用環境情報を生成する構成とされ、上記ユーザカードは、上記電池パックに対して着脱可能に構成されている携帯端末装置を提供する。
【００１７】
また、上記電池パックは、上記携帯端末本体部に装着された状態で一定以上の衝撃が加えられたとき、該携帯端末本体部から脱落する構造とされている。
また、上記ユーザカードは、ＵＳＩＭ（Universal Subscriber Identity Module）カードで構成され、上記情報記録制御手段は、上記ＵＳＩＭカードに対応して規定されたアプリケーションＵＳＡＴ（USIM Application Toolkit）に基づいて、上記記憶手段から上記電池使用環境情報を読み出して上記ユーザカードに逐次展開して記録する構成とされている。
【００１８】
また、上記ユーザカードは、上記情報記録制御手段に対して、上記記憶手段に記録されている上記電池使用環境情報の送出を要求するための情報送出要求を送信する構成とされ、上記情報記録制御手段は、上記ユーザカードから上記情報送出要求が送信されたとき、上記記憶手段から上記電池使用環境情報を読み出して、情報送出応答と共に上記ユーザカードに送信する構成とされている。また、上記情報記録制御手段は、上記電池パックの上記電池使用状態検出手段で生成される上記電池使用環境情報を、あらかじめ設定された最大時間まで上記記憶手段に逐次記録する一方、上記最大時間を超えたとき、初期状態に戻って上記電池使用環境情報を上記記憶手段に逐次上書きする動作を繰り返す構成とされている。
【実施形態】
【００１９】
図１は、この発明の一実施形態である携帯端末装置の要部の電気的構成を示すブロック図である。
この形態の携帯端末装置は、同図に示すように、携帯電話機２９であり、本体部３０と、電池パック４０とから構成されている。電池パック４０は、本体部３０に対して着脱可能に構成され、電池４１と、電池検出部４２と、ＳＩＭ−ＩＦ４３と、ＵＳＩＭカード４４とを有し、本体部３０に電源を供給する。電池４１は、たとえば、リチウムイオン電池などで構成されている。電池検出部４２は、電池４１の使用状況及び環境状況を検出して、同電池４１の使用状況及び環境状況を表す電池使用環境情報ｂｉを生成する。特に、この実施形態では、電池検出部４２は、電池４１の電圧、電流及び温度を検出して上記電池使用環境情報ｂｉを生成する。ＳＩＭ−ＩＦ４３は、本体部３０とＵＳＩＭカード４４との間のインタフェースの機能を有している。ＵＳＩＭカード４４は、各ユーザ毎に付与されて各ユーザ毎のデータを記録するためのものであり、電池パック４０に対して着脱可能に構成されている。
【００２０】
本体部３０は、制御部３１と、メモリ３２と、機能部３３とを有している。機能部３３は、たとえば無線部など、各種機能を有している。メモリ３２は、ＲＡＭ（Random Access Memory）で構成されている。制御部３１は、コンピュータとしてのＣＰＵ（中央処理装置）で構成され、コンピュータ読み取り可能な電池管理制御プログラムに基づいて動作し、電池パック４０の電池検出部４２で生成される電池使用環境情報ｂｉをメモリ３２に逐次記録すると共に、同メモリ３２から電池使用環境情報ｂｉを読み出してＳＩＭ−ＩＦ４３を経てＵＳＩＭカード４４に逐次展開して記録する。特に、この実施形態では、制御部３１は、ＵＳＩＭカード４４に対応して規定されたアプリケーションＵＳＡＴ（USIM Application Toolkit）に基づいて、メモリ３２から電池使用環境情報ｂｉを読み出してＵＳＩＭカード４４に逐次展開して記録する。
【００２１】
また、ＵＳＩＭカード４４は、制御部３１に対して、メモリ３２に記録されている電池使用環境情報ｂｉの送出を要求するための情報送出要求を送信する。また、制御部３１は、ＵＳＩＭカード４４から情報送出要求が送信されたとき、メモリ３２から電池使用環境情報ｂｉを読み出して、情報送出応答と共に同ＵＳＩＭカード４４に送信する。また、制御部３１は、電池パック４０の電池検出部４２で生成される電池使用環境情報ｂｉを、あらかじめ設定された最大時間までメモリ３２に逐次記録する一方、上記最大時間を超えたとき、初期状態に戻って上記電池使用環境情報ｂｉをメモリ３２に逐次上書きする動作を繰り返す。
【００２２】
図２は、図１の携帯電話機２９の電池パック取外し時の裏面斜視図である。
この携帯電話機２９では、電池パック４０は、本体部３０に装着された状態で一定以上の衝撃が加えられたとき、同本体部３０から脱落する構造とされている。また、ＵＳＩＭカード４４は、電池パック４０に設けられた構造的な挿入口４５から電池パック４０内部へ挿入されるようになっている。なお、この携帯電話機２９の正面斜視図は、図９（ａ）とほぼ同様である。
【００２３】
図３は、電池検出部４２で検出される使用状況及び環境状況の例を示す図、図４は、メモリ３２に記録される電池使用環境情報ｂｉの例を示す図、図５は、制御部３１の動作を説明するフローチャート、図６は、ＵＳＩＭカード４４と本体部３０との間の動作を説明するシーケンス図、及び図７が、ＵＳＡＴ機能に対応したコマンドの例を示す図である。
これらの図を参照して、この形態の携帯電話機２９に用いられる電池管理方法の処理内容について説明する。
この携帯電話機２９では、電池パック４０にて、電池検出部４２により、電池４１の使用状況及び環境状況が検出され、同電池４１の使用状況及び環境状況を表す電池使用環境情報ｂｉが生成される（電池使用状態検出処理）。この電池使用状態検出処理では、電池検出部４２により、電池４１の電圧、電流及び温度が検出されて上記電池使用環境情報ｂｉが生成される。
【００２４】
また、本体部３０にて、制御部３１により、電池パック４０の電池検出部４２で生成される電池使用環境情報ｂｉがメモリ３２に逐次記録される一方、メモリ３２から電池使用環境情報ｂｉが読み出されてＵＳＩＭカード４４に逐次展開して記録される（情報記録制御処理）。この場合、制御部３１により、上記電池使用環境情報ｂｉが、あらかじめ設定された最大時間までメモリ３２に逐次記録される一方、同最大時間を超えたとき、初期状態に戻って電池使用環境情報ｂｉがメモリ３２に逐次上書きする動作が繰り返される。
【００２５】
また、制御部３１により、ＵＳＩＭカード４４に対応して規定されたアプリケーションＵＳＡＴに基づいて、メモリ３２から電池使用環境情報ｂｉが読み出されてＵＳＩＭカード４４に逐次展開されて記録される。上記アプリケーションＵＳＡＴによれば、ＵＳＩＭカード４４により、制御部３１に対して、メモリ３２に記録されている電池使用環境情報ｂｉの送出を要求するための情報送出要求（コマンド“Get Memory”）が送信される。また、制御部３１により、ＵＳＩＭカード４４から情報送出要求（コマンド“Get Memory”）が送信されたとき、メモリ３２から電池使用環境情報ｂｉが読み出され、情報送出応答（コマンド“Terminal Res”）と共にＵＳＩＭカード４４に送信される。
【００２６】
すなわち、図３では、電池検出部４２で検出される検出要素が示され、たとえば、検出要素（検出ＩＤ）“ＩＤ１”は“電圧”、検出ＩＤ“ＩＤ２”は“電流”、及び、検出ＩＤ“ＩＤ３”が“温度”に対応している。検出要素の最大数は“Ｎ”、及び、そのＩＤが検出ＩＤ“ＩＤＮ”となっている。また、図４では、メモリ３２に記録される電池使用環境情報ｂｉが示され、電池検出部４２で時間間隔Δｔ毎に検出された検出要素のＩＤが、積算時間ｔと対応させてメモリ３２のメモリ空間（ＩＤｎ，ｔ）に記録されている。制御部３１では、図５に示すように、まず、時間間隔Δｔ、積算時間ｔの最大値Ｔ、及び検出要素数ｎの最大値Ｎが設定される（ステップＡ１）。次に、積算時間ｔが“ｔ＝０”として時間“０”に設定され（ステップＡ２）、また、検出要素数ｎが“ｎ＝１”として、検出ＩＤ“ＩＤ１”が指定される（ステップＡ３）。
【００２７】
次に、“ｔｉｍｅ＝０”としてタイマが起動され（ステップＡ４）、時間間隔Δｔとなるまで判定が繰り返される（ステップＡ５）。時間経過して時間間隔Δｔに至った後、時間ｔが最大値Ｔを超えていないか否かが判定される（ステップＡ６）。時間ｔが最大値Ｔを超えていない場合、検出要素数ｎが最大値Ｎを超えていないか否かが判定される（ステップＡ７）。検出要素数ｎが最大値Ｎを超えていない場合、検出ＩＤ“ＩＤｎ”が電池検出部４２から検出され（ステップＡ９）、メモリ３２のメモリ空間（ＩＤｎ，ｔ）に格納される（ステップＡ１０）。次に、検出要素数ｎが＋１だけ加算され（ｎ＝ｎ＋１）（ステップＡ１１）、次の検出要素ＩＤｎが検出される。この処理は、検出要素数ｎが最大値Ｎになるまで繰り返され、次々に検出要素ＩＤｎが検出される。
【００２８】
上記ステップＡ７にて、検出要素数ｎが最大値Ｎを超えた場合、時間を＋１だけ進め（ｔ＝ｔ＋１）（ステップＡ８）、タイマが再度起動されて、時間間隔Δｔ後に再度検出要素ＩＤｎの検出が繰り返される（ステップＡ４，Ａ５）。また、上記ステップＡ６にて、時間ｔが最大値Ｔを超えた場合、“ｔ＝０”として時間“０”へ再度設定される（ステップＡ３）。すなわち、時間ｔが最大値Ｔを超えた場合、再度“ｔ＝０”に戻り、時間“０”から最大値Ｔまでの動作が繰り返され、検出された検出要素ＩＤｎがメモリ３２のメモリ空間（ＩＤｎ，ｔ）へ上書きされる。これにより、メモリ空間（ＩＤｎ，ｔ）は、時間“ｔ＝０”から時間“ｔ＝Ｔ”の処理が繰り返され、常に最新の検出要素ＩＤｎが継続して記録保存される。
【００２９】
図６では、ＵＳＩＭカード４４と本体部３０との間の処理手順が示され、同手順によれば、同ＵＳＩＭカード４４に対応して規定されたアプリケーションＵＳＡＴ機能に基づいて、メモリ３２に整理保存された情報が同ＵＳＩＭカード４４へ書込み記録保存される。すなわち、ユーザは、自身のＵＳＩＭカード４４を電池パック４０のＳＩＭ−Ｉ／Ｆ４３に装着する。この状態で本体部３０の電源をオン状態（“Power ON”）とすると（ステップＢ１）、電源がＳＩＭ−Ｉ／Ｆ４３を介してＵＳＩＭカード４４に供給される。本体部３０は、動作状態になると、ＵＳＩＭカード４４との間で、先ずコマンド“Generic Commands”による必須情報の読込み処理を実行する。この場合、ＵＳＩＭカード４４は、電源が供給されると、先ず、同ＵＳＩＭカード４４が備える基本能力、たとえば、データの転送ビットレートや転送プロトコルを示す情報ＡＴＲを本体部３０へ送信する（ステップＢ２）。
【００３０】
本体部３０の制御部３１では、ＵＳＩＭカード４４から送られた情報ＡＴＲに基づいて、ＵＳＩＭカード４４の上記基本能力を認識する。制御部３１は、上記基本能力を認識すると、ＵＳＩＭカード４４が記憶する必須情報を読み込むために、情報要素毎に読出し要求“Read EF-xx”をＵＳＩＭカード４４に送出する。たとえば、情報要素が５個ある場合、制御部３１は、読出し要求“Read EF-01”，…，“Read EF-05”を、順次ＵＳＩＭカード４４へ送信する（ステップＢ３〜Ｂ５）。ＵＳＩＭカード４４は、制御部３１の読出し要求“Read EF-01”〜“Read EF-xx”を受信する毎に、応答データ“Res ”を本体部３０へ送信する（ステップＢ４〜Ｂ６）。このように、コマンド“Generic Commands”による必須情報の読込みが行われる。
【００３１】
次に、制御部３１により、ＵＳＡＴコマンドによる任意情報の読込み処理が実行される。すなわち、制御部３１により、先ず本体部３０におけるＵＳＡＴコマンドのサポート能力を表す情報“Terminal Profile”がＵＳＩＭカード４４に通知される（ステップＢ７）。ＵＳＩＭカード４４では、情報“Terminal Profile”を受信すると、その応答“Res ”を返送する（ステップＢ８）。続いて、制御部３１は、ＵＳＩＭカード４４内のメモリへの保存を実施するコマンドを同ＵＳＩＭカード４４から送出する契機を与えるために、コマンド“Fetch ”を同ＵＳＩＭカード４４へ送信する（ステップＢ９）。
【００３２】
上記ステップＢ９のコマンド“Fetch ”に対し、ＵＳＩＭカード４４は、ＵＳＩＭカード４４内のメモリへ保存を実施するコマンド“Get Memory”を本体部３０へ送信する（ステップＢ１２）。コマンド“Get Memory”は、図７に示すように、同コマンドを識別するためのコマンド識別子、アドレス範囲、及びデータサイズをパラメータとして含む。本体部３０の制御部３１は、コマンド“Get Memory”を受信すると、パラメータのコマンド識別子及びアドレス範囲から、同コマンドが電池４１の検出要素ＩＤｎの送出要求であることを判別し、図４に示すメモリ空間の情報を、コマンド“Terminal Res”と共にＵＳＩＭカード４４へ送信する（ステップＢ１３）。コマンド“Terminal Res”は、図７に示すように、パラメータとして、コマンド識別子、データサイズ、及びデータそのものが含まれている。コマンド“Terminal Res”を受信したＵＳＩＭカード４４は、コマンド識別子から、求める電池４１の検出要素ＩＤｎであることを判別すると共にデータを受信し、上記アドレス範囲に保存する。次に、ＵＳＩＭカード４４は、検出要素ＩＤｎを保存した旨を、コマンド“Res ”により本体部３０へ返信する（ステップＢ１４）。
【００３３】
また、本体部３０は、上記ステップＢ９にて、コマンド“Fetch ”を送出した後、すみやかにタイマを“ｔｉｍｅ＝０”に設定し、タイマを起動後（ステップＢ１０）、時間間隔Δｔの時間経過を待ち（ステップＢ１１）、次のコマンド“Fetch ”を送出する。このような動作を繰り返すことにより、メモリ空間の最新の情報がＵＳＩＭカード４４へ次々に送信され、同ＵＳＩＭカード４４には、電池４１の最新の検出要素が記録保存される。
【００３４】
以上のように、この実施形態では、電池パック４０の電池検出部４２により、電池４１の使用状況及び環境状況が検出され、同電池４１の使用状況及び環境状況を表す電池使用環境情報ｂｉが生成され、また、本体部３０の制御部３１により、電池パック４０の電池検出部４２で生成される電池使用環境情報ｂｉがメモリ３２に逐次記録される一方、メモリ３２から電池使用環境情報ｂｉが読み出されてＵＳＩＭカード４４に逐次展開して記録される。これにより、ユーザ個々の電池４１の使用状況及び環境状況がＵＳＩＭカード４４に記録保存され、記録保存された情報を引き出すことにより、同電池４１がユーザ個々にいかなる動作及び環境で使用されていたかが把握される。たとえば、個々のユーザの使用下で発熱の事象が発生した場合、同ユーザのＵＳＩＭカード４４から電池４１の使用状況及び環境状況が把握され、迅速な原因究明が可能となる。ひいては、同様な事象が携帯電話機２９を使用する他のユーザにより発生することが未然に防止されるという利点がある。
【００３５】
また、ＵＳＩＭカード４４により、情報送出要求（コマンド“Get Memory”）が送信される一方、制御部３１では、ＵＳＩＭカード４４から情報送出要求（コマンド“Get Memory”）が送信されたとき、メモリ３２から電池使用環境情報ｂｉが読み出され、情報送出応答（コマンド“Terminal Res”）と共にＵＳＩＭカード４４に送信されるので、比較的簡単な構成で上記利点が得られる。また、ＵＳＩＭカード４４が装着されている電池パック４０は、携帯電話機２９の大きな容量サイズを占める本体部３０に比較して、小さな容量サイズを占め、物理的ストレスを比較的受けにくく、落下衝撃が加わったときに同本体部３０から脱落する構造となっているので、電池４１の電圧、電流、温度などの使用状況及び環境状況が読み出せない状況になることが回避される。
【００３６】
以上、この発明の実施形態を図面により詳述してきたが、具体的な構成は同実施形態に限られるものではなく、この発明の要旨を逸脱しない範囲の設計の変更などがあっても、この発明に含まれる。
たとえば、ＵＳＩＭカード４４は、他の外部記憶カードでも良く、この場合、ＵＳＡＴ機能を利用せず、インタフェースを規定して必要なコマンドを実装した構成としても良い。
また、携帯端末装置は、携帯電話機に限らず、たとえば、ノートＰＣや、ＰＤＡ（Personal Digital Assistants ）などでも良い。
【産業上の利用可能性】
【００３７】
この発明は、ＵＳＩＭカードなどのような加入者カードが装着され、電池を電源として所定の動作を行う携帯端末装置全般に適用できる。
【符号の説明】
【００３８】
２９      携帯電話機（携帯端末装置）
３０      本体部（携帯端末本体部）
３１      制御部（情報記録制御手段）
３２      メモリ（記憶手段）
３３      機能部（携帯端末本体部の一部）
４０      電池パック
４１      電池
４２      電池検出部（電池使用状態検出手段）
４４      ＵＳＩＭカード（ユーザカード）
４５      挿入口（電池パックの一部）
【図１】
2011061561.tif 000003
【図２】
2011061561.tif 000004
【図３】
2011061561.tif 000005
【図４】
2011061561.tif 000006
【図５】
2011061561.tif 000007
【図６】
2011061561.tif 000008
【図７】
2011061561.tif 000009
【図８】
2011061561.tif 000010
【図９】
2011061561.tif 000011